(57)【要約】【課題】小型化及びコストの低減を図り得るとともに、電圧感度の安定化と、時延特性を確保し得る回路遮断器の過電圧・不足電圧引き外し装置を提供する。【解決手段】商用電源電圧ＡＣと第一のしきい値電圧とを比較して低電圧検出信号を生成し、低電圧検出信号が予め設定された時間以上継続したとき、第一の励磁電流遮断信号Ｓ２を出力する時延時間設定付低電圧検出部３５と、商用電源電圧ＡＣと予め設定された第三のしきい値電圧とを比較して過電圧検出信号を生成するとともに、過電圧検出信号が予め設定された時間以上継続したとき、第二の励磁電流遮断信号Ｓ４を出力する時延時間設定付過電圧検出部３４と、第一及び第二の励磁電流遮断信号Ｓ２，Ｓ４に基づいて、１つのコイル３６に供給する励磁電流Ｉｃを遮断する１つのスイッチ回路３７と、コイル３６への励磁電流Ｉｃの遮断に基づいて負荷機器への電源供給を遮断する１つの遮断機構とを備えた。【選択図】図１
2014199725.tif 000002
【特許請求の範囲】
【請求項１】
商用電源電圧と、予め設定された第一のしきい値電圧とを比較して低電圧検出信号を生成するとともに、前記低電圧検出信号が予め設定された時間以上継続したとき、第一の励磁電流遮断信号を出力する時延時間設定付低電圧検出部と、
商用電源電圧と、予め設定された第三のしきい値電圧とを比較して過電圧検出信号を生成するとともに、前記過電圧検出信号が予め設定された時間以上継続したとき、第二の励磁電流遮断信号を出力する時延時間設定付過電圧検出部と、
前記第一及び第二の励磁電流遮断信号に基づいて、１つのコイルに供給する励磁電流を遮断する１つのスイッチ回路と、
前記コイルへの励磁電流の遮断に基づいて、負荷機器への電源供給を遮断する１つの遮断機構と
を備えたことを特徴とする回路遮断器の過電圧・不足電圧引き外し装置。
【請求項２】
請求項１に記載の過電圧・不足電圧引き外し装置において、
前記時延時間設定付低電圧検出部は、
前記商用電源電圧の変化に基づいて変化する比較電圧と、前記第一のしきい値とを比較する比較器を備えた低電圧検出部と、
前記低電圧検出信号が入力されたときコンデンサを充電する充電回路と、
前記低電圧検出信号が出力されていないとき前記コンデンサの充電電荷を放電する放電回路と、
前記コンデンサの充電電位と予め設定された第二のしきい値電圧とを比較して前記第一の励磁電流遮断信号を出力する比較器と
を備えた時延出力部と
を備え、
前記時延時間設定付過電圧検出部は、
前記商用電源電圧の変化に基づいて変化する比較電圧と、前記第三のしきい値電圧とを比較する比較器を備えた過電圧検出部と、
前記過電圧検出信号が入力されたときコンデンサを充電する充電回路と、
前記過電圧検出信号が出力されていないとき前記コンデンサの充電電荷を放電する放電回路と、
前記コンデンサの充電電位と予め設定された第二のしきい値電圧とを比較して前記第二の励磁電流遮断信号を出力する比較器と
を備えた時延出力部と
を備えたことを特徴とする回路遮断器の過電圧・不足電圧引き外し装置。
【請求項３】
請求項１に記載の回路遮断器の過電圧・不足電圧引き外し装置において、
前記低電圧検出部は、前記商用電源電圧を積分して実効値を算出し、該実効値と前記第一のしきい値電圧とを比較して低電圧検出信号を出力することを特徴とする回路遮断器の過電圧・不足電圧引き外し装置。
【請求項４】
請求項１に記載の回路遮断器の過電圧・不足電圧引き外し装置において、
前記低電圧検出部は、前記商用電源電圧を積分して平均値を算出し、該平均値と前記第一のしきい値電圧とを比較して低電圧検出信号を出力することを特徴とする回路遮断器の過電圧・不足電圧引き外し装置。
【請求項５】
請求項１乃至３のいずれか１項に記載の回路遮断器の過電圧・不足電圧引き外し装置において、
前記スイッチ回路は、前記励磁電流遮断信号の入力に基づいてオフ動作して前記励磁電流を遮断するトランジスタを備えたことを特徴とする回路遮断器の過電圧・不足電圧引き外し装置。
【請求項６】
請求項１乃至５のいずれか１項に記載の過電圧・不足電圧引き外し装置において、
前記第一のしきい値電圧は、前記励磁電流の減少により前記遮断機構が動作しなくなる場合の前記比較電圧より高い電圧に設定するとともに、前記第三のしきい値電圧は時延時間設定付過電圧検出部及び時延時間設定付低電圧検出部が動作不能となる場合の前記比較電圧より低い電圧に設定したことを特徴とする回路遮断器の過電圧・不足電圧引き外し装置。
【発明の詳細な説明】
【技術分野】
【０００１】
本発明は、商用電源の回路遮断器の付属装置として使用される過電圧・不足電圧引き外し装置に関するものである。
【背景技術】
【０００２】
従来、回路遮断器の不足電圧引き外し装置は、商用電源の電源電圧が予め規定した電圧を下回ったときに、商用電源が供給される負荷機器への電源供給を遮断するように動作する。
【０００３】
図８は、過電圧・不足電圧引き外し装置の従来例を示す。単相２線の商用電源ＡＣは開閉回路２を介して電源回路１に供給される。電源回路１は商用電源ＡＣの入力に基づいて直流電源電圧Ｖｃを生成し、その直流電源電圧Ｖｃが時延時間設定付過電圧検出部３及び低電圧検出部４に供給される。
【０００４】
また、商用電源ＡＣは信号発生部５に供給され、その信号発生部５は例えば商用電源ＡＣを全波整流した電圧信号を比較電圧Ｖｒｅｃとして時延時間設定付過電圧検出部３及び低電圧検出部４に出力する。
【０００５】
低電圧検出部４は、あらかじめ設定されたしきい値電圧と入力された比較電圧Ｖｒｅｃとを比較して、商用電源ＡＣが電源電圧として許容されない不足電圧以上の電圧であるか否かを検出する。
【０００６】
前記低電圧検出部４には低電圧引き外し用コイル６が接続され、その低電圧引き外し用コイル６には時延設定器７として大容量のコンデンサが接続されている。そして、信号発生部５から入力される比較電圧Ｖｒｅｃがしきい値電圧以上であれば、低電圧引き外し用コイル６が励磁されて、遮断機構により負荷機器に電源が供給される。
【０００７】
一方、信号発生部５から入力される比較電圧Ｖｒｅｃがしきい値電圧未満の不足電圧であれば、低電圧引き外し用コイル６の励磁が解除されて、遮断機構により負荷機器への電源供給が遮断されるとともに、開閉回路２が不導通状態となって電源回路１及び信号発生部５への商用電源ＡＣの供給が遮断される。
【０００８】
時延時間設定付過電圧検出部３は、あらかじめ設定されたしきい値電圧と入力された比較電圧Ｖｒｅｃとを比較して、商用電源ＡＣが電源電圧として許容されない過電圧以下の電圧であるか否かを検出する。
【０００９】
時延時間設定付過電圧検出部３はスイッチ回路８に励磁電流遮断信号Ｓが出力され、そのスイッチ回路８には過電圧引き外し用コイル９の一端が接続され、過電圧引き外し用コイル９の他端には商用電源ＡＣが開閉回路２を介して供給されている。
【００１０】
そして、信号発生部５から入力される比較電圧Ｖｒｅｃがしきい値電圧以下であれば、励磁電流遮断信号Ｓによりスイッチ回路８が遮断状態となって過電圧引き外し用コイル９が非励磁となり、遮断機構により負荷機器に電源が供給される。
【００１１】
一方、信号発生部５から入力される比較電圧Ｖｒｅｃがしきい値電圧を超える過電圧であれば、励磁電流遮断信号Ｓによりスイッチ回路８が導通状態となり、過電圧引き外し用コイル９が励磁されて、遮断機構により負荷機器への電源供給が遮断されるとともに、開閉回路２が不導通状態となって電源回路１及び信号発生部５への商用電源ＡＣの供給が遮断される。
【００１２】
特許文献１には、電源電圧の低電圧状態及び過電圧状態を検出して主電源回路をオフ状態とする電源回路が開示されている。
【先行技術文献】
【特許文献】
【００１３】
【特許文献１】特開２００６−４０６５１号公報
【発明の概要】
【発明が解決しようとする課題】
【００１４】
上記のような回路遮断器の過電圧・不足電圧引き外し装置では、低電圧時に負荷機器への電源供給を遮断するための遮断機構及び低電圧引き外し用コイル６と、過電圧時に負荷機器への電源供給を遮断するための遮断機構及び過電圧引き外し用コイル９とをそれぞれ別個に設ける必要がある。従って、回路遮断器が大型化するとともに、コストも上昇するという問題点がある。
【００１５】
この発明はこのような事情に鑑みてなされたものであり、その目的は小型化及びコストの低減を図り得るとともに、電圧感度の安定化と、時延特性を確保し得る回路遮断器の過電圧・不足電圧引き外し装置を提供することにある。
【課題を解決するための手段】
【００１６】
上記課題を解決する不足電圧引き外し装置は、商用電源電圧と、予め設定された第一のしきい値電圧とを比較して低電圧検出信号を生成するとともに、前記低電圧検出信号が予め設定された時間以上継続したとき、第一の励磁電流遮断信号を出力する時延時間設定付低電圧検出部と、商用電源電圧と、予め設定された第三のしきい値電圧とを比較して過電圧検出信号を生成するとともに、前記過電圧検出信号が予め設定された時間以上継続したとき、第二の励磁電流遮断信号を出力する時延時間設定付過電圧検出部と、前記第一及び第二の励磁電流遮断信号に基づいて、１つのコイルに供給する励磁電流を遮断する１つのスイッチ回路と、前記コイルへの励磁電流の遮断に基づいて、負荷機器への電源供給を遮断する１つの遮断機構とを備えたことを特徴とする。
【００１７】
また、上記構成において、前記時延時間設定付低電圧検出部は、前記商用電源電圧の変化に基づいて変化する比較電圧と、前記第一のしきい値とを比較する比較器を備えた低電圧検出部と、前記低電圧検出信号が入力されたときコンデンサを充電する充電回路と、
前記低電圧検出信号が出力されていないとき前記コンデンサの充電電荷を放電する放電回路と、前記コンデンサの充電電位と予め設定された第二のしきい値電圧とを比較して前記第一の励磁電流遮断信号を出力する比較器とを備えた時延出力部とを備え、前記時延時間設定付過電圧検出部は、前記商用電源電圧の変化に基づいて変化する比較電圧と、前記第三のしきい値電圧とを比較する比較器を備えた過電圧検出部と、前記過電圧検出信号が入力されたときコンデンサを充電する充電回路と、前記過電圧検出信号が出力されていないとき前記コンデンサの充電電荷を放電する放電回路と、前記コンデンサの充電電位と予め設定された第二のしきい値電圧とを比較して前記第二の励磁電流遮断信号を出力する比較器とを備えた時延出力部とを備えることが好ましい。
【００１８】
また、上記構成において、前記低電圧検出部は、前記商用電源電圧を積分して実効値を算出し、該実効値と前記第一のしきい値電圧とを比較して低電圧検出信号を出力することが好ましい。
【００１９】
また、上記構成において、前記低電圧検出部は、前記商用電源電圧を積分して平均値を算出し、該平均値と前記第一のしきい値電圧とを比較して低電圧検出信号を出力することが好ましい。
【００２０】
また、上記構成において、前記スイッチ回路は、前記励磁電流遮断信号の入力に基づいてオフ動作して前記励磁電流を遮断するトランジスタを備えることが好ましい。
また、上記構成において、前記第一のしきい値電圧は、前記励磁電流の減少により前記遮断機構が動作しなくなる場合の前記比較電圧より高い電圧に設定するとともに、時延時間設定付過電圧検出部及び時延時間設定付低電圧検出部が動作不能となる商用電源電圧より高い電圧に設定することが好ましい。
【発明の効果】
【００２１】
本発明によれば、回路遮断器の小型化及びコストの低減を図り得るとともに、電圧感度の安定化と、時延特性を確保することができる。
【図面の簡単な説明】
【００２２】
【図１】一実施形態の過電圧・不足電圧引き外し装置を示すブロック図である。
【図２】時延時間設定付低電圧検出部を示す回路図である。
【図３】時延時間設定付過電圧検出部を示す回路図である。
【図４】時延時間設定付低電圧検出部及び時延時間設定付過電圧検出部の動作を示すタイミングチャートである。
【図５】スイッチ回路を示す回路図である。
【図６】しきい値電圧の設定を示す説明図である。
【図７】スイッチ回路の別例を示す回路図である。
【図８】従来例を示すブロック図である。
【発明を実施するための形態】
【００２３】
以下、過電圧・不足電圧引き外し装置の一実施形態を図面に従って説明する。図１に示す過電圧・不足電圧引き外し装置は、単相２線の商用電源ＡＣが開閉回路３１を介して電源回路３２と電圧信号発生部３３に供給される。電源回路３２は、商用電源ＡＣの供給に基づいて所要の直流電源電圧Ｖｃを生成し、その直流電源電圧Ｖｃを時延時間設定付過電圧検出部３４と時延時間設定付低電圧検出部３５に供給する。
【００２４】
図４に示すように、電圧信号発生部３３は、商用電源ＡＣを全波整流した全波整流電圧Ｖｒｅｃを生成して前記時延時間設定付過電圧検出部３４と時延時間設定付低電圧検出部３５に出力する。
【００２５】
また、商用電源ＡＣはコイル３６の一端に供給され、そのコイル３６の他端はスイッチ回路３７を介してグランドＶｇに接続されている。そして、スイッチ回路３７が導通状態であれば、コイル３６に励磁電流Ｉｃが供給される。
【００２６】
コイル３６は、固定プランジャに巻装され、励磁電流Ｉｃの供給に基づいて可動プランジャが吸着されて、遮断機構の動作により負荷機器に電源が供給される。一方、励磁電流Ｉｃの遮断に基づいて例えばバネの付勢力により可動プランジャが固定プランジャから引き離される。すると、遮断機構の動作により負荷機器への電源の供給が遮断される。
【００２７】
次に、前記時延時間設定付低電圧検出部３５の具体的構成を説明する。
図２に示すように、時延時間設定付低電圧検出部３５は低電圧検出部１９と時延出力部２０とで構成される。
【００２８】
低電圧検出部１９では、全波整流電圧ＶｒｅｃがグランドＶｇとの間で直列に接続される抵抗Ｒ１，Ｒ２で分圧されて比較電圧Ｖｘが生成され、その比較電圧Ｖｘとしきい値電圧Ｖｔ１とが比較器２１で比較される。そして、比較電圧Ｖｘがしきい値電圧Ｖｔ１より低くなると、Ｈレベルの低電圧検出信号Ｖｄが比較器２１から出力される。
【００２９】
比較器２１から出力される低電圧検出信号Ｖｄは、時延出力部２０のｎｐｎトランジスタＴr1のベースに入力されるとともに、インバータ回路２２で反転されてｎｐｎトランジスタＴr2のベースに入力される。
【００３０】
前記トランジスタＴr1のコレクタには前記直流電源電圧Ｖｃから定電流源回路２３を介して定電流が供給される。前記トランジスタＴr1のエミッタは、コンデンサＣ２を介してグランドＶｇに接続される。
【００３１】
また、前記トランジスタＴr1のエミッタは、前記トランジスタＴr2のコレクタに接続されるとともに、比較器２４のマイナス側入力端子に接続される。前記トランジスタＴr2のエミッタはグランドＶｇに接続される。
【００３２】
このように構成された時延出力部２０では、低電圧検出信号ＶｄがＬレベルの場合には、トランジスタＴr1はオフされるとともに、トランジスタＴr2がオンされる。すると、コンデンサＣ２に蓄えられている電荷が放電されて時延信号Ｓ１がＬレベルに維持される。
【００３３】
一方、低電圧検出信号ＶｄがＨレベルとなると、トランジスタＴr1はオンされるとともに、トランジスタＴr2がオフされる。すると、トランジスタＴr1のコレクタ電流によりコンデンサＣ２に電荷が蓄えられて時延信号Ｓ１の電位が直流電源電圧ＶｃよりトランジスタＴr1のコレクタ・エミッタ間の電圧降下分低下した電圧を上限として上昇する。
【００３４】
このような構成により、トランジスタＴr1がコンデンサＣ２を充電する充電回路として動作し、トランジスタＴr2がコンデンサＣ２の充電電化を放電させる放電回路として動作する。
【００３５】
比較器２４は、時延信号Ｓ１としきい値電圧Ｖｔ２とを比較し、時延信号Ｓ１がしきい値電圧Ｖｔ２より高くなると、Ｌレベルの励磁電流遮断信号Ｓ２を前記スイッチ回路３７に出力する。
【００３６】
図５は、前記スイッチ回路３７の一例を示す。前記励磁電流遮断信号Ｓ２は、ダイオードＤを介してｎｐｎトランジスタＴr3のベースに入力され、そのトランジスタＴr3のコレクタは前記コイル３６の他端に接続され、エミッタはグランドＶｇに接続されている。
【００３７】
従って、励磁電流遮断信号Ｓ２がＨレベルであれば、トランジスタＴr3がオンされてコイル３６に励磁電流Ｉｃが供給され、励磁電流遮断信号Ｓ２がＬレベルとなると、トランジスタＴr3がオフされて励磁電流Ｉｃが遮断される。
【００３８】
図３に示すように、前記時延時間設定付過電圧検出部３４は、過電圧検出部３８と時延出力部３９とで構成され、時延出力部３９はトランジスタＴr1とコンデンサＣ２の充電特性を除いて前記時延時間設定付低電圧検出部３５の時延出力部２０と同様である。
【００３９】
過電圧検出部３８は、しきい値電圧Ｖｔ３を比較器２１のマイナス側入力端子に入力し、比較電圧をプラス側入力端子に入力したこと以外は、前記時延時間設定付低電圧検出部３５の低電圧検出部１９と同様な構成である。
【００４０】
このような過電圧検出部３８では、全波整流電圧Ｖｒｅｃの波高値がしきい値電圧Ｖｔ３より高くなると、過電圧検出信号Ｖｄ２が断続的にＨレベルとなり、時延出力部３９の時延信号Ｓ３の電圧レベルが上昇する。そして、時延信号Ｓ３がしきい値電圧Ｖｔ４を超えると、励磁電流遮断信号Ｓ４がＬレベルとなって、コイル３６への励磁電流Ｉｃの供給が遮断される。
【００４１】
励磁電流Ｉｃが遮断されると、遮断機構の動作により負荷機器への電源供給が遮断される。また、励磁電流Ｉｃが遮断されると、コイル３６で発生する磁力変化により開閉回路３１が不導通となって電源回路３２及び電圧信号発生部３３への商用電源ＡＣの供給も遮断される。
【００４２】
なお、前記励磁電流遮断信号Ｓ２，Ｓ４は、インターフェース回路を介してスイッチ回路３７に出力され、そのインターフェース回路は、Ｌレベルの入力信号を優先してスイッチ回路３７に供給する機能を備えている。
【００４３】
次に、上記のように構成された過電圧・不足電圧引き外し装置の作用を図４に従って説明する。
商用電源ＡＣが通常の電圧レベルで供給されていると、全波整流電圧Ｖｒｅｃの波高値は予め設定されたしきい値電圧Ｖｔ１を超えるため、低電圧検出部１９から出力される低電圧検出信号Ｖｄはパルス状の信号となる。
【００４４】
この状態では、時延出力部２０のトランジスタＴr1，Ｔr2がオン動作とオフ動作を交互に繰り返すため、時延信号Ｓ１の電圧レベルはしきい値電圧Ｖｔ２を上回ることはない。すると、励磁電流遮断信号Ｓ２はＨレベルに維持され、スイッチ回路３７の動作によりコイル３６に励磁電流Ｉｃが供給され続ける。従って、可動プランジャは固定プランジャに吸着された状態に維持され、遮断機構は作動しない。
【００４５】
商用電源ＡＣの電圧が低下して、全波整流電圧Ｖｒｅｃの波高値がしきい値電圧Ｖｔ１を下回ると、低電圧検出部１９から出力される低電圧検出信号ＶｄはＨレベルに維持される。
【００４６】
この状態では、時延出力部２０のトランジスタＴr1がオン状態に維持され、トランジスタＴr2がオフ状態に維持されるため、コンデンサＣ２に電荷が蓄えられて、時延信号Ｓ１の電圧レベルが上昇し、やがてしきい値電圧Ｖｔ２を上回る。すると、時延出力部２０から出力される励磁電流遮断信号Ｓ２はＬレベルとなり、スイッチ回路３７の動作によりコイル３６への励磁電流Ｉｃが遮断される。この結果、可動プランジャは固定プランジャから引き離され、遮断機構が作動して負荷機器への電源の供給が遮断される。
【００４７】
商用電源ＡＣの電圧が上昇して、全波整流電圧Ｖｒｅｃの波高値がしきい値電圧Ｖｔ３を超えるような過電圧となると、過電圧検出部３８から出力される低電圧検出信号Ｖｄ２はＨレベルに維持される。
【００４８】
この状態では、時延出力部３９のトランジスタＴr1がオン状態に維持され、トランジスタＴr2がオフ状態に維持されるため、コンデンサＣ２に電荷が蓄えられて、時延信号Ｓ３の電圧レベルが上昇し、やがてしきい値電圧Ｖｔ４を上回る。すると、時延出力部３９から出力される励磁電流遮断信号Ｓ４はＬレベルとなり、スイッチ回路３７の動作によりコイル３６への励磁電流Ｉｃが遮断される。この結果、可動プランジャは固定プランジャから引き離され、遮断機構が作動して負荷機器への電源の供給が遮断される。
【００４９】
図６に示すように、上記のような過電圧・不足電圧引き外し装置では、時延時間設定付低電圧検出部３５で設定されるしきい値電圧Ｖｔ１は、コイル３６の励磁電流Ｉｃの減少により固定プランジャで可動プランジャを吸着できなくなるときに比較器２１に入力される電圧Ｖｆ１より高い電圧に設定される。同時に、商用電源電圧ＡＣの低下による電源回路３２からの供給電圧の低下により、時延時間設定付過電圧検出部３４と時延時間設定付低電圧検出部３５が動作不能となる電圧Ｖｆ２より高い電圧に設定されている。
【００５０】
本実施形態によれば、以下の効果を得ることができる。
（１）商用電源ＡＣの電圧レベルが所定時間以上で所定レベル以下に低下したときと、所定レベル以上に上昇したとき、可動プランジャを固定プランジャから引き離して、遮断機構を作動させることができる。従って、商用電源ＡＣの電圧レベルが不足した状態で負荷機器を動作させること、あるいは商用電源ＡＣの電圧レベルが過電圧となった状態で負荷機器を動作させることにより発生する不具合を未然に防止することができる。
（２）共通のコイル３６を使用して、過電圧による引き外し動作と不足電圧による引き外し動作を行うことができる。従って、過電圧の供給に基づいて電源供給を遮断する遮断機構と、不足電圧の供給に基づいて電源供給を遮断する遮断機構を共通化することができる。従って、過電圧・不足電圧引き外し装置を備えた回路遮断器を小型化し、且つコストを低減することができる。
（３）商用電源ＡＣの電圧レベルが不足か否か、あるいは過電圧か否かを検出する電圧感度を低電圧検出部１９、あるいは過電圧検出部３８で、比較器２１に入力されるしきい値電圧Ｖｔ１，Ｖｔ３により設定することができる。従って、安定した電圧感度を容易に設定することができる。
（３）商用電源ＡＣの電圧レベルが不足電圧に低下してから、励磁電流Ｉｃを遮断するための励磁電流遮断信号Ｓ２を出力するまでの時延時間は、時延出力部２０のトランジスタＴr1とコンデンサＣ２とで構成される時定数回路で設定することができる。同様に、商用電源ＡＣの電圧レベルが過電圧まで上昇してから、励磁電流Ｉｃを遮断するための励磁電流遮断信号Ｓ４を出力するまでの時延時間は、時延出力部３９のトランジスタＴr1とコンデンサＣ２とで構成される時定数回路で設定することができる。従って、大容量のコンデンサを使用することなく時延時間を設定することができるので、過電圧・不足電圧引き外し装置の小型化をはかり、且つコストを低減することができる。
【００５１】
なお、上記実施形態は以下のように変更してもよい。
・第一の実施形態の低電圧検出部１９及び第二の実施形態の時延時間設定付低電圧検出部３５は、商用電源電圧を積分して実効値を算出し、その実効値としきい値電圧Ｖｔ１，Ｖｔ３とを比較するようにしてもよい。
・第一の実施形態の低電圧検出部１９及び第二の実施形態の時延時間設定付低電圧検出部３５は、商用電源電圧を積分して平均値を算出し、その平均値としきい値Ｖｔ１，Ｖｔ３とを比較するようにしてもよい。
・図７に示すように、スイッチ回路３７において、ｎｐｎトランジスタに代えてｐｎｐトランジスタＴr4を使用し、そのトランジスタＴr4のベースにインバータ回路４０を介して励磁電流遮断信号Ｓ２，Ｓ４を入力するようにしてもよい。このような構成により、励磁電流遮断信号Ｓ２，Ｓ４がＨレベルとなってコイル３６に励磁電流Ｉｃが流れるとき、トランジスタＴr4のベース電圧はほぼグランドＶｇレベルである。従って、商用電源ＡＣの電圧レベルがノイズにより低下しても、トランジスタＴr4がオン状態に維持されて、コイル３６に励磁電流Ｉｃを安定して供給することができる。
【符号の説明】
【００５２】
３４…時延時間設定付過電圧検出部、３５…時延時間設定付低電圧検出部、３６…コイル、３７…スイッチ回路、２１，２４…比較器、ＡＣ…商用電源、Ｖｄ…低電圧検出信号、Ｖｄ２…過電圧検出信号、Ｖｔ１…第一のしきい値電圧、Ｖｔ２…第二のしきい値電圧、Ｖｔ３…第三のしきい値電圧、Ｖｄ…低電圧検出信号、Ｉｃ…励磁電流、Ｓ１…時延信号、Ｓ２…第一の励磁電流遮断信号、Ｓ４…第二の励磁電流遮断信号、Ｃ２…コンデンサ、Ｔr1…充電回路（トランジスタ）、Ｔr2…放電回路（トランジスタ）、Ｖｘ…比較電圧。
【図１】
2014199725.tif 000003
【図２】
2014199725.tif 000004
【図３】
2014199725.tif 000005
【図４】
2014199725.tif 000006
【図５】
2014199725.tif 000007
【図６】
2014199725.tif 000008
【図７】
2014199725.tif 000009
【図８】
2014199725.tif 000010